Podtech/llm-jp-corpus-v4-ja_patent huggingface dataset:
(57)【要約】【課題】本発明は、食習習慣上安全であるチアスプラウトを有効成分として、内臓脂肪蓄積抑制剤または組成物を提供することを課題とする。【解決手段】本発明によりチアスプラウトを有効成分とする内臓脂肪蓄積抑制剤および組成物が提供される。さらに、内臓脂肪蓄積抑制剤および組成物を含有する内臓脂肪蓄積の予防・改善用医薬品、機能性飲食品、飲食品素材、化粧品および飼料が提供される。【選択図】図１
2018158913.tif 000002
【特許請求の範囲】
【請求項１】
チアスプラウトを有効成分として含有する内臓脂肪蓄積抑制剤。
【請求項２】
チアスプラウトを含有する組成物を有効成分として含有する内臓脂肪蓄積抑制剤。
【請求項３】
［１］〜［２］に記載内臓脂肪蓄積抑制剤からなる医薬品。
【請求項４】
［１］〜［２］に記載の内臓脂肪蓄積抑制剤からなる機能性飲食品。
【請求項５】
［１］〜［２］に記載の内臓脂肪蓄積抑制剤からなる飲食品素材。
【請求項６】
［１］〜［２］に記載の内臓脂肪蓄積抑制剤を含有する飼料。
【請求項７】
［１］〜［２］に記載の内臓脂肪蓄積抑制剤を含有する化粧品。
【発明の詳細な説明】
【技術分野】
【０００１】  本発明は内臓脂肪蓄積抑制を目的とした組成物、及び当該組成物を含む飲食品、医薬品または飼料に関する。
【背景技術】
【０００２】  メタボリックシンドロームという言葉は一般的に広く浸透しているが、その予防・改善についてはまだまだ対策が必要な状況である。メタボリックシンドロームの予防・改善には生活習慣の是正が重要かつ効果的であることが明らかにされているが、生活習慣を変えることは難しく、メタボリックシンドローム該当者が減少しないのが現状である。このような現状を改善する方法の一つとして、機能性食品やサプリメントの有効利用が注目されており、内臓脂肪蓄積抑制作用を有する新規食品素材の探索が求められている。【０００３】  チアシードはシソ科アキギリ属の一年草で、主に南米やオーストラリアで栽培されているチア（学名：Ｓａｌｖｉａ  ｈｉｓｐａｎｉｃａ）の種子である。チアシードは食用でき、ｎ−３系脂肪酸を豊富に含むことからスーパーフードとして注目されている。我々は、チアシードの新芽（以下、チアスプラウト）に着目した。チアスプラウトは、癖がなくサラダなどの生食としても食べやすい食材であるが、その機能性については不明であり、内臓脂肪蓄積抑制効果はいまだ報告されていない。
【発明の開示】
【発明が解決しようとする課題】
【０００４】  本発明は、内臓脂肪蓄積抑制作用を有する組成物を提供し、ひいては当該組成物を含有する医薬品、機能性飲食品、飲食品、化粧品または飼料を提供することにある。
【課題を解決するための手段】
【０００５】  上記の課題を解決するために鋭意検討を重ねた結果、チアスプラウトに顕著な内臓脂肪蓄積抑制作用があることを見出した。すなわち本発明は、以下の構成を有する。
（１）チアスプラウトの成分を含有することを特徴とする内臓脂肪蓄積抑制剤。
（２）上記（１）に記載の組成物を含有する医薬品、機能性飲食品、飲食品、化粧品又は飼料。
【発明の効果】
【０００６】  本発明により、チアスプラウトの成分を含有することを特徴とする内臓脂肪蓄積抑制剤、及び該組成物を含有する医薬品、機能性飲食品、飲食品、化粧品または飼料を提供することができる。
【発明を実施するための最良の形態】
【０００７】  本発明に関わるチアスプラウトは、チアシードを水耕栽培し約５ｃｍまで育った新芽であり、生食として用いてもよく、これを乾燥した粉末として用いることもできる。【０００８】  本発明に関わる内臓脂肪蓄積抑制剤を製造するには、上記の方法で製造したチアスプラウトの成分を用いることができ、常法に従って公知の医薬用無毒性担体と組み合わせて製剤化すればよい。本発明に関わる脂肪吸収抑制剤は、種々の剤型での投与が可能であり、例えば、経口投与剤としては錠剤、顆粒剤、散剤、カプセル剤、ソフトカプセル剤などの固形剤、溶液剤、懸濁剤、乳化剤等の液剤、凍結乾燥剤等があげられ、これらの製剤は製剤上の常套手段により調製することができる。上記医薬用無毒性担体としては、例えば、グルコース、乳糖、ショ糖、でんぷん、マンニトール、デキストリン、脂肪酸グリセリド、ポリエチレングリコール、ヒドロキシエチルでんぷん、エチレングリコール、ポリオキシエチレンソルビタン脂肪酸エステル、アミノ酸、アルブミン、水、生理食塩水などが挙げられる。また、必要に応じて安定化剤、滑沢剤、湿潤剤、乳化剤、結合剤等の慣用の添加剤を適宜添加することができる。本発明に関わる内臓脂肪蓄積抑制剤におい内臓脂肪蓄積抑制成分の投与量は、患者の年齢、体重、症状、疾患の程度、投与スケジュール、製剤形態等により、適宜選択、決定されるが、例えば、一日当たりチアスプラウト乾燥重量として０．００１ｍｇ〜１０００ｍｇ／ｋｇ体重程度とされ、一日数回に分けて投与してもよい。【０００９】  また、チアスプラウトは、毒性を有することは報告されていないことから、内臓脂肪蓄積抑制を目的とした飲食品として摂取することもできる。チアスプラウトの成分は、特定保健用食品、栄養機能食品、又は健康食品等として位置付けることができる。機能性食品としては、例えば、チアスプラウトの成分に適当な助剤を添加した後、慣用の手段を用いて、食用に適した状態、例えば、顆粒状、粒状、錠剤、カプセル剤、ソフトカプセル剤、ペースト状等に形成したものを用いることができる。この飲食品は、そのまま食用に供してもよく、また種々の食品（例えばハム、ソーセージ、かまぼこ、ちくわ、パン、バター、粉乳、菓子など）に添加して使用したり、水、酒類、果汁、牛乳、清涼飲料水等の飲物に添加して使用したりしてもよい。かかる食品の形態における本発明のチアスプラウトの成分の摂取量は、年齢、体重、症状、疾患の程度、食品の形態等により適宜選択・決定されるが、例えば、一日当たりチアスプラウト乾燥重量として０．００１ｍｇ〜１０００ｍｇ／ｋｇ体重程度とされ、一日数回に分けて投与してもよい。
【実施例】
【００１０】  以下に本発明をより詳細に説明するために実施例を挙げるが、本発明はこれらによって何ら限定されるものではない。
【図面の簡単な説明】
【００１１】
【図１】  実施例  チアスプラウトの内臓脂肪蓄積抑制効果  チアスプラウトの内臓脂肪蓄積抑制効果を調べるために以下の実験を行った。すなわちＩＣＲマウス（雄）を１週間予備飼育後２群に分け、標準食（ＡＩＮ−９３Ｍ）、チアスプラウト粉末混合標準食をそれぞれ摂取させた。８週間飼育を行い、体重を測定した（図面Ａ）。また、飼育最終日に精巣周囲脂肪重量および腎周囲脂肪重量を測定した（図面Ｂ）。数値は平均値±標準誤差で示し、＊印はチアスプラウト群がコントロールに対する有意差を示す（ｓｔｕｄｅｎｔのＴ−ｔｅｓｔ、ｐ＜０．０５）。
【００１２】  この結果からチアスプラウトが内臓脂肪蓄積を抑制することが示された。
【産業上の利用可能性】
【００１３】  本発明により、チアスプラウトの成分を含有することを特徴とする内臓脂肪蓄積抑制組成物及び該組成物を含有する医薬品、機能性飲食品、飲食品、化粧品または飼料を提供することが可能となった。
【図１】
2018158913.tif 000003
(57)【要約】【課題】タバコの煙や、建築資材などの有害物質のうち、ガス状物質は、現状販売されている、乾式のフィルターによる空気清浄機では、除去や軽減が難しい。【解決手段】水による湿式フィルターを使用することにより、水を溶媒として溶ける分のガス状有害物質を吸着し、洗浄用の水にてフィルターを洗浄して洗浄水に有害物質を溶け込ませることで、結果としてガス状有害物質をも除去又は軽減しようとする空気清浄機である。【選択図】図２
2018158078.tif 000002
【特許請求の範囲】
【請求項１】
有害物質吸着用の湿式フィルター。
【請求項２】
前記有害物質吸着用湿式フィルターを、洗浄することによって長時間有害物質を、吸着することを可能とするために、水で洗浄するという方法。
【請求項３】
前期有害物質吸着用湿式フィルターと、洗浄用の水を溜め置く水槽をユニットとして取り外しやすくした、一体化した湿式フィルターと洗浄機構。
【発明の詳細な説明】
【技術分野】
【０００１】  この発明は、空気中にあるガス状物質を含む有害物質を、水に溶け込ませることで除去、あるいは軽減させる装置である。
【背景技術】
【０００２】  従来の空気清浄機は、乾式のために粒子状物質は、除去できるが、ニコチンやホルムアルデヒドなどのガス状物質は除去や軽減などが困難である。
【発明の概要】
【発明が解決しようとする課題】
【０００３】  既知の空気中のガス状有害物質で、水を溶媒として溶け込む物質は、多く存在するので、湿式フィルターを使用して、この空気中のガス状有害物質を除去又は軽減する装置を提供することを目的とする。
【課題を解決するための手段】
【０００４】  以上の課題を解決するために、第一発明は、空気との接触面を多くとるための網目状の湿式フィルターによって、空気中の有害物質をこのフィルターに吸着させることを、特徴とする。
また、第二発明は、吸着したフィルターの有害物質を、水で洗浄することで、有害物質を洗浄用の水に溶け込ませて除去又は軽減する方法である。
また、第三発明は、空気中から水に溶け込ませた物質が飽和状態となり、溶け込まなくなる前に、洗浄用の水の廃棄と湿式フィルターの洗浄がしやすいように、湿式フィルターと洗浄機構としての水槽を一体型ユニットとして、取り外しやすくして、簡単に、洗浄水の廃棄及びフィルターの洗浄が出来るようにした機構である。
【発明の効果】
【０００５】  第一発明、および第二発明、第三発明によって、この湿式フィルターと洗浄機構とで、空気中の水を溶媒とするガス状有害物質を含む有害物質を除去又は軽減することができる。
【図面の簡単な説明】
【０００６】
【図１】この発明の一実施形態を示す斜視図である。
【図２】一実施形態の内部確認用左側面からの透過図面である。
【図３】一実施形態の内部確認用正面からの透過図面である。
【発明を実施するための形態】
【０００７】  この発明の一実施形態を、図１図２図３にて示す。
給排気用送風機１０が動作することにより、吸気口３から有害物質を含む空気を取り込み、乾式フィルター９を通して大きなほこりなどをこしとり、浄化したい空気Ａを取り入れて、吸着洗浄機構５の内部にある回転式の湿式フィルター７と洗浄用水８によって、有害物質を軽減した浄化済空気が２の排気口より１の矢印のように排出される。なお、４は給水タンクの入り口の蓋であり、給水タンク６より、気化して減ってしまった分の水を供給する。
吸着洗浄機構５は、水が有害物質による飽和状態になる前に容易に取り出して、洗浄水の廃棄及び湿式フィルターの洗浄ができるよう、取り外し可能なユニットとして、前面に配置した場合である。なお、空気の流れは、矢印にて示した。
【０００８】「実施形態の効果」
この実施形態によれば、この湿式フィルター型空気清浄機を小型化できるので、新築物件の室内やタバコの煙が漂ってきてしまう事務所などに置くことによって、室内空気の循環により、ニコチンやホルムアルデヒドなどのガス状物質を含む水に溶ける又は混ざる有害物質が除去又は軽減される。したがって、化学物質過敏症や受動喫煙症などの原因物質の軽減や、室内の汚濁の軽減もできる。
「他の実施形態」
図１図２図３の実施形態では、筒形の湿式フィルターとしているが、ベルト型湿式フィルターや、筒形湿式フィルターを複数取付けるなどして、大規模な装置とすることもできる。洗浄水８を超音波振動により振動させることで洗浄効果を上げたものや、水道から水を給水し、排水溝に流れるようにすれば、メンテナンスの少ない装置も可能である。
また、ある程度の大規模な装置とすれば、喫煙所などに置き、直接タバコの煙の浄化も可能となる。
【符号の説明】
【０００９】１  浄化済の排気                    ２  排気口
３  吸気口                          ４  給水タンク挿入部蓋
５  吸着洗浄機構                    ６  給水タンク
７  筒形回転式湿式フィルター        ８  洗浄用水
９  乾式フィルター                １０  給排気用送風機
Ａ  浄化対象空気
【図１】
2018158078.tif 000003
【図２】
2018158078.tif 000004
【図３】
2018158078.tif 000005
(57)【要約】【課題】  従来の眼瞼用あんぽう器に使用される赤色光の波長の範囲が広く、皮膚の深部組織まで浸透する特定の波長が選択されていなかった。また、眼瞼用のあんぽう器は両眼用が中心で、片眼用のあんぽう器は商品化されていなかった。【解決手段】  眼瞼用あんぽう器に、最も皮膚に浸透力のある波長とされる７５０ｎｍに近い７４０ｎｍの赤色ＬＥＤを使用している。また、眼瞼の血流を増加させて自然治癒力を高めることで、疲れ目などを解消させることができる。さらに、治療時間が１分で電池を電源とする携帯用にすることで、手軽に家庭や職場など、どこででも使用できる片眼用あんぽう器とすることができる。【選択図】図１
2018158077.tif 000002
【特許請求の範囲】
【請求項１】
眼瞼皮膚の深部組織にまで浸透して血行を促進させ、自然治癒力を高めることで疲れ目などを解消させる、ピーク波長が７４０ｎｍ〜７５０ｎｍの赤色ＬＥＤを用いた眼瞼用のあんぽう器で、治療時間が１分間と短く電池を電源とする携帯用の片眼用あんぽう器。
【発明の詳細な説明】
【技術分野】
【０００１】  本発明は、片眼用あんぽう器に関する。
【背景技術】
【０００２】  従来の眼瞼用あんぽう器は、ピーク波長が７４０ｎｍの赤色ＬＥＤを用いた両眼用のあんぽう器がある（例えば、特許文献１）。また、ピーク波長が７００ｎｍの赤色ＬＥＤ用いた両眼用で商品化されたものもある（例えば、非特許文献１）。
【特許文献１】特願２０１６−２２８３４４
【非特許文献１】商品名「アイホットＲ」広告掲載誌  日本の眼科  Ｖｏｌ８６：４号（２０１６年４月号）ｐ．５６８
【０００３】  また、特定の波長が皮膚の深部組織まで到達する（非特許文献２）。さらに、７４０ｎｍの波長が．深部組織の血流量を増加させることを測定する眼瞼用血流計がある（特許文献１）。また、皮膚の角質層の水分も血液から作られる（特許文献２）。
【非特許文献２】文献名  「皮膚組織と赤外線放射吸収比率」照明学会誌  Ｖｏｌ．７４  Ｎｏ．１２１９９０  ｐ２６〜２７
【特許文献１】特願２０１６−２２８３４４
【特許文献２】特願２０１５−２３８０２７
【発明の開示】
【発明が解決しようとする課題】
【０００４】  従来の眼瞼用あんぽう器に使用される赤色光の波長の範囲が広く、皮膚の深部組織まで浸透する特定の波長が選択されなかった。また、眼瞼用のあんぽう器は両眼用が中心で、特に赤色光を用いた片眼用のあんぽう器は、商品化されていない。【０００５】  本発明は、このような従来の手段を改善し、眼瞼皮膚の深部組織に浸透する波長を特定した赤色光を用い、片眼用のあんぽう器を提供することを目的とするものである。
【課題を解決するための手段】
【０００６】  本発明は上記目的を達成するために、眼瞼用あんぽう器に使用する光源を７４０ｎｍの波長の赤色ＬＥＤを使用している。これは（非特許文献２）の皮膚の深部組織まで浸透する波長が７５０ｎｍ付近になることによるもので、実際にテストした結果でも確認された。【０００７】  また、治療時間を１分間とすることと、電池を電源とした携帯用の片眼用のあんぽう器とすることで、左右の眼を交互に治療することができる。また、７４０ｎｍの赤色ＬＥＤを片眼１本で使用しているが、眼瞼以外の部位に用いる場合には本数を増やすことができる。
【発明の効果】
【０００８】  上述したように、本発明の片眼用あんぽう器は、眼瞼皮膚の深部組織まで浸透する７４０ｎｍの赤色ＬＥＤ片眼１本の使用で、従来の７００ｎｍの赤色ＬＥＤ片眼１０本の使用と比較して、平均して約２５％の血流量の増加が得られている。この血流量の測定は、（特許文献１）の眼瞼用血流計で測定したもので、１分間治療後の１分・３分・５分・１０分経過時を測定した値である。【０００９】  また、片眼用あんぽう器による眼瞼皮膚への血行促進効果は、疲れ目などにより結膜充血の症状が発生した場合、治療前と治療後の結膜面の赤色血管網の分布の変化を見ることで、血流増加に伴う改善効果を確認することができる。また、上述のように、結膜面の赤色の変化を確認することで、簡便な眼瞼の血流測定方法とすることができる【００１０】  また、携帯用の片眼のあんぽう器とすることで、職場や家庭など、どこでも使用できる。治療効果としては、眼瞼の血流を増加させて自然治癒力を高めて疲れ目などを解消させることができる。また、血流量が増加すると眼瞼皮膚の角質層の水分が補給され、目元に潤いを与えることもできる。【００１１】  また、片眼用あんぽう器で眼瞼を治療した後に、目薬やホットパックによる治療を併用することもできる。
【発明を実施するための最良の形態】
【００１２】  以下、本発明の実施の形態を図１に基づいて説明する。【００１３】  図においては、１は片眼用あんぽう器で、本体ケース２の上にパッド３が取り付けられている。パッド３には、基板に取り付けられた７４０ｎｍ赤色ＬＥＤ４が中央に１本配置され、本体ケース２の電源スイッチ５に接続されている。【００１４】  バッド３の眼球に押し当てる部分は、曲面形状でスポンジのような柔らかい材質が適している。本体ケース２には、単４形電池または単３形電池２本を内蔵し、１分タイマーと電池残量チェッカー、または、電池交換時期を知らせる回路を組込むことが出来る。また、電池には充電式電池を使用することもできる。【００１５】  以下、使用手順について説明する。まず、片眼用あんぽう器１の本体ケース２の電源スイッチ５をＯＮにして、７４０ｎｍ赤色ＬＥＤ４の点灯を確認してから、治療する左右どちらかの眼に片眼用あんぽう器１を、右眼は右手で左眼は左手で軽く押し当てる。１分後に電源スイッチ５をＯＦＦにするか、タイマーで自動的に消灯して治療を終了する。【００１６】  片眼用あんぽう器１で両眼を交互に治療するが、同じ片眼を１分治療後に、さらに続けて治療を繰り返すこともできる。
【図面の簡単な説明】
【００１７】
【図１】  本発明の実施形態を示す片眼用あんぽう器の斜視説明図
【符号の説明】
【００１７】１  片眼用あんぽう器
２  本体ケース
３  パッド
４  ７４０ｎｍ赤色ＬＥＤ
５  電源スイッチ
【図１】
2018158077.tif 000003
(57)【要約】【課題】上からの圧力に対して潰れにくい耐圧の優れた一斗缶の高さ利用し、床とのすき間、空間を確保できる防災具を提供する。【解決手段】一斗缶側面に複数補強を設け、取り出し口を設け、蓋を設け、上からの圧力に潰れにくい構造とした一斗缶の高さを介し床とのすきま空間を確保、一斗缶内部に防災食料備蓄室を設け、外部をイスに利用できる家具調としたことを特徴とする一斗缶防災具。【選択図】図５
2018158085.tif 000002
【特許請求の範囲】
【請求項１】
一斗缶側面に複数補強を設け、取り出し口を設け、蓋を設け、上からの圧力に潰れにくい構造とした一斗缶の高さを介し床との空間を確保、一斗缶内部に防災食料備蓄室を設け、外部をイスに利用できる家具調としたことを特徴とする一斗缶防災具。
【発明の詳細な説明】
【技術分野】
【０００１】本発明は、就寝中地震により天井等上からの落下物を耐圧に強い一斗缶の高さのある構造を利用し床との隙間、空間を確保して頭、身体を保護することを目的とする地震災害に関するものである。
【背景技術】
【０００２】従来、構造の大きなシェルター等はあった。
【発明の概要】
【発明が解決しようとする課題】
【０００３】そのために、次のような問題点があった。
（イ）シェルターの設置は家の構造等の問題もあり限定的である。
天井等の落下から頭、身体を保護できる簡単な防災具はなかった。
本発明は、これらの問題点を解決するためになされたものである。
【課題を解決するための手段】
【０００４】一斗缶側面に複数補強を設け、取り出し口を設け、蓋を設け、上からの圧力に潰れにくい構造からなる一斗缶の高さを介し床との隙間、空間を確保、一斗缶内部に防災食料備蓄室を設け、外部をイスに利用できる家具調とした。
以上を特徴とする一斗缶防災具である。
【発明の効果】
【０００５】上からの圧力に強く潰れにくい一斗缶防災具を部屋の隅等に数個備えることにより一斗缶の高さで床との隙間、空間が確保でき頭身体を保護できる。救助されるまでの間一斗缶の中に備蓄した水等を取り出し口から補給できる。ポケットに小物も収納、イスとしても利用できる。安価な一斗缶を家具調とした一斗缶防災具である。
【図面の簡単な説明】
【０００６】
【図１】本発明の正面図である。
【図２】本発明にポケツトのあるカバーを掛けた正面図である。
【図３】本発明を上からの断面図で防災品を備蓄する一斗缶内部を示す図である
【図４】本発明にポケットのあるカバーを掛けた姿図である。
【図５】本発明が就寝中側にあることにより天井等上からの落下物を一斗缶の高さが床との隙間、空間を確保でき身体を保護できる使用例を示す図である。
【発明を実施するための形態】
【０００７】以下、本発明の実施の形態について説明する。
上からの圧力に対して耐圧の強い構造の一斗缶側面に更に強度を増す補強材を設け、缶の中に備蓄した防災品を取り出す取り出し口を側面に複数設けた。強度のある一斗缶の高さが床との隙間、空間を確保でき頭、身体を保護できる。救助されるまでの間備蓄の水分等で安心できる。普段は小物収納できるポケットのついたイスとしても利用できる家具調とした。
本発明は以上のような構成である。
これを使用するときは、缶の中に非常食を納め蓋をしてカバーを掛け室内の隅等に数個置く。天井等大きな落下物を一斗缶の高さが床との隙間、空間を確保でき頭、身体を保護してくれる。
【符号の説明】
【０００８】１  一斗缶
２  蓋
３  取り出し口
４  カバー
５  ポケット
６  クッション材
７  補強材
８  瓦礫
９  防災品備蓄室
【図１】
2018158085.tif 000003
【図２】
2018158085.tif 000004
【図３】
2018158085.tif 000005
【図４】
2018158085.tif 000006
【図５】
2018158085.tif 000007
【手続補正書】
【提出日】平成29年6月18日(2017.6.18)
【手続補正１】
【補正対象書類名】特許請求の範囲
【補正対象項目名】請求項１
【補正方法】変更
【補正の内容】
【請求項１】
一斗缶内部を防災食料備蓄スペースとして設け、一斗缶側面に備蓄品取り出し口を複数設け、一斗缶側面に上からの外圧に耐えられる補強材を複数設け、一斗缶の高さを介し床との空間確保維持を目的とし、フタを設けた一斗缶にカバーを掛けイスとしても利用できる構造としたことを特徴とする一斗缶防災具。
(57)【要約】      （修正有）【課題】従来、介助の必要な人の排便は、トイレに誘導して排便し、トイレで介護者がゴム手袋を付けて、臀部洗浄を行っている。さらに、要介護者が、要介護者用パット内に排泄の場合も、臀部全体に便が付着し、トイレの排便と同じように、介護者がゴム手袋を付けて、臀部洗浄を行っているが、十二分に便を洗い流すことはできず、その度に、介護者が再度、ゴム手袋を付けて、臀部洗浄を行っている。介護者、要介護者に必要以上の時間を介護にかけることのない臀部洗浄ノズルを提供する。【解決手段】中心部が周辺のシャワー水流力より大きく、中心部が周辺部より水量が多く出るよう中心部のシャワー出口に周辺部より大きめの穴を設けた。【選択図】図３
2018158086.tif 000002
【特許請求の範囲】
【請求項１】
臀部洗浄で臀部全体に水流が隈なく当たるように、水流をシャワー状にし、臀部にたて洗浄する洗浄システム。
【発明の詳細な説明】
【技術分野】
【０００１】  本発明は要介護者のトイレでの排泄、要介護者パット内にの排泄による、体の付着した汚物を洗い流す方法に関する。
【背景技術】
【０００２】  要介護者に付着した汚物は、トイレに要介護者を誘導し、介護者がゴム手袋を付けて、トイレの洗浄水を流しながら洗い流している。
【発明の開示】
【発明が解決しようとする課題】
【０００３】  本来、健常者が既存の便器で臀部洗浄を使用する際には、前後左右に臀部を動かし、水があたるようにして、臀部洗浄を行っているが、介助の必要な人の場合は、トイレに誘導し、介護者がゴム手袋を付けて、臀部洗浄を行う必要がある。
このような、トイレでの排泄であっても、完全に便を洗い流すことができずに、再度介護者がゴム手袋を付けて、臀部の洗浄を行っている。それでも、便の付着は取り除くことはできずにいる。
さらに、要介護者用パット内に排泄の場合は、要介護者の臀部全体に付着しているためにに、排便と同じように、トイレに誘導し、時間をかけて洗い流す必要がある。このことは介護者にとって、特に精神的に負担となっている。【０００４】  本発明は、上記目的を達成するために、要介護者の臀部の全体に、隈なく水流をあてる物である。
【課題を解決するための手段】
【０００５】  本発明は、このような問題点を解決するために、要介護者の臀部に、隈なく水流があたるように水流をシャワー状したものである。
【発明の効果】
【０００６】  上記のように臀部全体にシャワー状の水流を当てることにより、ゴム手袋を付けての臀部の洗浄も軽減され、介護者の負担も軽減される。【０００７】  洗浄による、便の取り残しによる頻繁なゴム手袋を付けての、体に付着している便の処理の洗い流す行為も軽減されることで、精神的な負担の軽減される。【０００８】  洗い残しでの、再度のゴム手袋を付けることも軽減されるので、作業も簡素化され、介護者の負担も軽減できる。このことは、要介護者の負担も軽減される。【０００９】  以下、本発明を図１〜図４基づいて説明する。【００１０】  図１、図２，図３，図４において、図１は臀部洗浄ノズルの不使用時のときの、水道水を止めた止水栓レバー（１）に置いた状態を上部より見た図である。図２は臀部洗浄ノズルを、水道水を止めた止水栓レバー（１）に置いた状態を正面から見た図である。図３は臀部洗浄の時に栓レバー（１）から臀部洗浄ノズルを持ち上げて、止水栓レバー（２）を押して洗浄シャワーを放出した図で、この状態で、臀部にシャワーを当て、臀部洗浄を行う。
図４のように臀部洗浄を効果的に行うために、中心部のシャワーの水流力が大きく、水量の多くなるようにように、中心部のシャワー出口が周辺より大きめの穴を設けている。このことにより、中心部のシャワーで臀部に付着したものを洗い、周辺部のシャワーで横飛びを防ぐ効果がある、
さらに、図３の自在ホース（３）でノズルの方向を自由に変えることで、隈なく洗浄を可能にすることができる。
【図面の簡単な説明】
【００１１】
【図１】臀部洗浄ノズルを止水栓レバーに置いた状態を上部より見た図
【図２】臀部洗浄ノズルを止水栓レバーに置いた状態を正面より見た図
【図３】臀部洗浄ノズルを使用するために、止水栓レバーから持ち上げた状態を見た図
【図４】臀部洗浄ノズルのシャワー出口を正面より見た図
【図１】
2018158086.tif 000003
【図２】
2018158086.tif 000004
【図３】
2018158086.tif 000005
【図４】
2018158086.tif 000006
(57)【要約】【課題】  本発明は、衣料品がしわになりにくく、たくさん収納出来、収納したものが一目でわかる収納具を提供する。【解決手段】収納部はメッシュ生地で、一つ一つが留め具で留められ、収納部は、表と裏、両方にあり、本体をハンガー形式で吊るせる事を特徴とするメッシュ製の衣料品ロール収納具。【選択図】図１
2018158084.tif 000002
【特許請求の範囲】
【請求項１】
収納部分はメッシュ生地で、一つ一つが留め具で留められ収納部は表と裏両方にあり本体をハンガー形式で吊るせる事を特徴とするメッシュ製の衣料品ロール収納具。
【発明の詳細な説明】
【技術分野】
【０００１】本発明は、ロール状に丸めた衣料品などを収納する収納具に関するものである。
【背景技術】
【０００２】従来、衣料品などの収納は、たたんで、タンスなどに収納するか、ハンガーに掛けて、洋服ダンスやクローゼットに収納をしていました。又特許文献１では、衣類収納式ハンガーが知られている。
【先行技術文献】
【特許文献】
【０００３】
【特許文献Ｉ】実用新案登録第３１５７２号公報
【発明の概要】
【発明が解決しようとする課題】
【０００４】そのために次のような問題点があった。
（イ）たたんでタンスなどに収納した場合、たたみじわが出来る。重なって収納してある      為、必要な衣類の場所が見つけにくい。
（ロ）タンスにロール状に衣類を収納した場合、見つけやすいが、一つの衣類を取ると、      隙間が空きなだれの様に収納した衣類が崩れてしまう。
（ハ）ハンガー掛けで吊るしてタンスなどに収納した場合ハンガー同士が、からんで取り      出しにくい、場所をとるので沢山、収納出来ない。
（ニ）特許文献Ｉでは、衣類を一枚一枚巻き取り材に丸め込まなければならず手間がかか      るという問題点があった。
本発明は、これらの問題点を解決するためになされたものである。
【課題を解決するための手段】
【０００５】収納部分は、メッシュ生地で、一つ一つが留め具で留められ、独立して衣類を納められる。衣類はロール状にまるめて、その収納部に納めるので、しわになりにくく必要な衣類が一目でわかる。
【発明の効果】
【０００６】本発明の収納具は、必要な衣類が一目でわかり、衣類の出し入れが簡単。ハンガー形式なので、タンスやクローゼットなど場所を選ばず吊るして収納も出来、本体をくるくる丸めて、そのまま旅行用バックに、納めても便利です。
【図面の簡単な説明】
【０００７】
【図１】本発明の斜視図である。
【発明を実施するための形態】
【０００８】  以下、本発明の実施の形態について説明する。
（イ）本体（１）に、メッシュ生地で出来た収納部（２）を５部以上取りつける。
（ロ）収納部（２）は、表と裏、両面に設ける。本体（１）上部に本体（１）を吊り下げ      る為の掛け具（４）を設ける。
（ハ）収納部（２）、一つ一つに留め具（３）を設ける。留め具（３）は、ホック・スナ      ップ・ボタン・マジックテープなどを使用する。
本発明は以上のような構成である。
本発明を使用するときは、ロール状にまるめた衣類などを、収納部（２）に納め、留め具（３）で留める事により一目で収納された衣類がわかり、出し入れが簡単に出来る。
【符号の説明】
【０００９】１  本体
２  収納部
３  留め具
４  掛け具
【図１】
2018158084.tif 000003
(57)【要約】      （修正有）【課題】自転車と自転車がからまらず、出し入れしやすい自転車駐輪装置を提供する。【解決手段】２本のスライドレールの上に多数のラックがあり、ラックはそれぞれ磁石を備え、スライドレールの上を左右に動く、自転車駐輪装置。【選択図】図３
2018172955.tif 000002
【特許請求の範囲】
【請求項１】
この自転車駐輪装置には、２本のスライドレールがあります。２本のスライドレールの上にたくさんのラックがあります。ラックは、スライドレールの上を左右に動くことができます。ラックには、それぞれ磁石がついています。
【請求項２】
請求項１の自転車駐輪装置では、磁石は、回転可能です。
【請求項３】
請求項１の自転車駐輪装置では、磁石は、電磁石です。
【発明の詳細な説明】
【技術分野】
【０００１】  この発明は、自転車駐輪装置です。
【背景技術】
【０００２】  今までの自転車駐輪装置は、２本のスライドレールがあります。２本のスライドレールの上にたくさんのラックがあります。ラックは、スライドレールの上を左右に動くことができます。
【先行技術文献】
【特許文献】
【０００３】
【特許文献１】：特開２０１３−１４４８７４号明細書
【発明の概要】
【発明が解決しようとする課題】
【０００４】  なぜこの発明を考えたかというと、地下の自転車駐輪装置から自転車を取り出す時、自転車と自転車がからまってしまい、自転車がたいへん取り出しにくくなってしまいます。なので、自転車が出し入れしやすい自転車駐輪装置を考えました。
【発明を実施するための形態】
【０００５】  図１を見てください。この自転車駐輪装置には、２本のスライドレールがあります。２本のスライドレールの上にたくさんのラックがあります。ラックは、スライドレールの上を左右に動くことができます。ラックには、それぞれ磁石（黒い部分）がついています。磁石は、回転可能です。
【０００６】  図２を見てください。自転車駐輪装置のはじめの図です。はじめは、磁石のはんぱつでラックどうしがはなれています。なぜはなれているかというと、自分の自転車を見やすくするためです。
【０００７】  図３を見てください。ラック３に自転車を入れたい時の図です。ここでは１番端のラックについている磁石が回転します。そうすることラック１とラック２、ラック４とラック５がくっつきます。なので、ラック３が取り出しやすくなります。ちなみに磁石は、手で回転することもできますし、それぞれのラックを動かすコントローラーでも回転させることができます。
【０００８】  図４を見てください。ラックの上に自転車が乗っている図です。磁石の回転のためタイヤがじゃまにならないよう、磁石の位置をずらしました。
【０００９】  さらに磁石は、電磁石でもいいです。
【図面の簡単な説明】
【００１０】
【図１】は、自転車駐輪装置の図です。
【図２】は、自転車駐輪装置のはじめの図です。
【図３】は、ラック３に自転車を入れたいときの図です。
【図４】は、ラックの上に自転車が乗っているときの図です。
【図１】
2018172955.tif 000003
【図２】
2018172955.tif 000004
【図３】
2018172955.tif 000005
【図４】
2018172955.tif 000006
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
２本のスライドレールと、前記２本のスライドレールの上を左右に動くことができるたくさんのラックと、前記たくさんのラックにそれぞれついている磁石とを備え、前記磁石の磁力によって、隣り合うラックどうしを反発ではなれさせること及びくっつかせることが可能であることを特徴とする自転車駐輪装置。
【請求項２】
前記磁石は、回転可能であることを特徴とする請求項１に記載の自転車駐輪装置。
【請求項３】
前記磁石は、電磁石であることを特徴とする請求項１に記載の自転車駐輪装置。
(57)【要約】【課題】この発明は吹付作業時ワイヤーが吹付コンクリートの表面に当たり吹付面の損傷を防止すると共にフレームのコテ仕上げの表面を傷める事を防ぐ器具を提供する。【解決手段】クリップをロープに固定し接続金具とワイヤーを連結して作業を行う保護器具である。【選択図】図１
2018172956.tif 000002
【特許請求の範囲】
【請求項１】
保護クリップに回転式フックを取付けロープとワイヤーを一体化する保護器具。
【発明の詳細な説明】
【技術分野】
【０００１】    この発明、はワイヤーが吹付コンクリート表面の損傷を守りコンクリートの付着から保護するものである。
【背景技術】
【０００２】    従来、吹付時ワイヤーが吹付面に当たり、コンクリート等が削れる等して何度も登り手直しを必要とした。
ワイヤーにコンクリートが付着する等メンテナンスを必要とした。
【発明の開示】
【発明が解決しようとする課題】
【０００３】そのために、次のような問題が生じていた。
（イ）  ワイヤーが法面に当たり、吹付面が削れ吹付厚が無くなり、網が露出する為、何        度も上部に上り手直しを余儀なくされてきた。
（ロ）  ワイヤーがアンカーやフレームに引っかかる為、作業効率にも影響がでた。
【課題を解決するための手段】
【０００４】ロープに保護クリップを装着し、ワイヤーと連結させる。
以上の構成からなる吹付面及びワイヤーを保護する保護器具である。
【発明の効果】
【０００５】したがって、保護クリップによりワイヤーはロープと一体化する為、引っかかり及び損傷から守ることができる。
保護クリップも安易に使用出来ることから、作業効率も格段に上がった。
【発明を実地するための最良の形状】
【０００６】（イ）保護クリップ（１）に回転式フック（２）を授ける。
本発明は以上の構成からなる、ロープ保護具である。以下、使用方法について説明する。
ロープに保護クリップを装着しワイヤーをフックに通しておく。
数メートル下がりワイヤーが当たる様ならロープに保護クリップを装着しながら作業する。
保護クリップがワイヤーを保護する為メンテナンスも大変楽である、吹付面への損傷が抑えられる為を手直し等の必要が無い。
【図面の簡単な説明】
【０００７】
【図１】  本発明の斜視図
【図２】  本発明の原理説明図
【符号の説明】
【０００８】１は保護クリップ
２は接続フック
３は親綱（ロープ）
４はライフライン（ワイヤー）
【図１】
2018172956.tif 000003
【図２】
2018172956.tif 000004
2018172956.tif 000005
【手続補正書】
【提出日】平成29年6月1日(2017.6.1)
【手続補正１】
【補正対象書類名】明細書
【補正対象項目名】０００７
【補正方法】変更
【補正の内容】
【０００７】
【図１】  本発明の斜視図
【図２】  本発明の原理説明図
【図３】  使用前にはロープ（親綱）とワイヤー（ライフライン）が離れている為引っ掛かる等危険であった
【図４】  本品を使用することによりロープ（親綱）とワイヤー（ライフライン）が一体化することで危険でなくなった
【手続補正２】
【補正対象書類名】図面
【補正対象項目名】全図
【補正方法】変更
【補正の内容】
【図１】
2018172956.tif 000006
【図２】
2018172956.tif 000007
【図３】
2018172956.tif 000008
【図４】
2018172956.tif 000009
(57)【要約】      （修正有）【課題】水を凍らせることで、冷凍による商品の、劣化、扉の開閉、霜取り等の、冷凍庫内の温度変化から食品を守り、保護するための凍解凍袋を提供する。【解決手段】内袋１の底部に袋のみみ３を設け、外袋２の上部にダブルジッパー４を設け、外袋に内袋を挿入して組み合わせたことを特徴とする凍解凍袋。【選択図】図３
2018065616.tif 000002
【特許請求の範囲】
【請求項１】
内袋（１）の底部に袋のみみ（３）を設け、外袋（２）の上部にダブルジッパー（４）を設け、外袋（２）に内袋（１）を挿入して組み合わせたことを特徴とする凍解凍袋。
【発明の詳細な説明】
【技術分野】
【０００１】  本発明は食品を水を凍らせることで、冷凍による商品の、劣化、扉の開閉、霜取り等の、冷凍庫内の温度変化から食品を守り、保護するための凍解凍袋に関するものである。
【背景技術】
【０００２】  従来、冷凍用の袋があった。
【先行技術文献】
【特許文献】
【０００３】
【特許文献１】  実開平６−２２２５３号公報
【発明の期概要】
【発明が解決しようとする課題】
【０００４】  そのために次のような問題点があった。
（イ）冷凍用ポリ袋でも、長期の冷凍保存で、食品の劣化があった。
（ロ）ビニルシートは、食品の劣化と、冷凍によるビニルの破損があった。
（ハ）魚介類等、ビニルシート、ポリ袋で冷凍すると、本来の味と色彩が失われた。
本発明は、これらの問題点を解決するためになされたものである。
【課題を解決するための手段】
【０００５】  内袋（１）の底部に袋のみみ（３）を設け、外袋（２）の上部にダブルジッパー（４）を設け、外袋（２）に内袋（１）を挿入して組み合わせたことを特徴とする凍解凍袋。
【発明の効果】
【０００６】  この方法により、長期の冷凍が可能になり、冷凍庫の開け閉め、霜取りによる温度変化、冷凍による乾燥、食品の劣化等防ぐことができる。
袋の間に水を入れ、その水を凍らせることで、食品の長期保存を可能にできる凍解凍袋である。
又、食品の解凍も、−２℃の解凍が食品本来の味を損なわぬベストの方法で、本発明は水を凍らせ解凍する事で、その点も考慮されている。
【図面の簡単な説明】
【０００７】
【図１】  本発明の正面図である。
【図２】  本発明の正面図である。
【図３】  本発明の実施例を示した正面図である。
【図４】  本発明の実施例を示した斜視図である。
【発明を実施するための形態】
【０００８】  以下、本発明の実施の形態について説明する。
１は、ポリエチレン袋、内袋で、ポリエチレン袋である。
２は、ダブルジッパー付きの外袋、ポリエチレン袋である。
３は、外袋に、内袋を入れた状態のポリエチレン袋の二重袋である。
４は、ダブルジッパーである。
５は、二重袋の間に水を入れる口である。
６は、袋の接着部分である。
（イ）内袋（１）の底部に袋のみみ（３）を設け、外袋（２）の上部にダブルジッパー（４）を設け、外袋（２）に内袋（１）を挿入して組み合わせたことを特徴とする。
（ロ）（３）の部分は（２）と底部が数か所接着してあり（５）の口は開いて、反対側部分は（２）と接着してある。
本発明は以上のように構成された凍解凍袋。
本発明を使用するときは、内袋（１）の中に冷凍保存の品物を入れる。
図４に示すように、外袋（２）の水を入れる口（５）から水を入れる。
品物が隠れる位まで水を入れ、余分な水は捨て、ジッパーを閉じると外袋（２）と内袋（１）も一緒に閉じて、密封状態になり、冷凍する事で食品の劣化を保護する。
【符号の説明】
【０００９】１  内袋
２  外袋
３  二重袋
４  ダブルジッパー
５  水を入れる口
６．接着部分
【図１】
2018065616.tif 000003
【図２】
2018065616.tif 000004
【図３】
2018065616.tif 000005
【図４】
2018065616.tif 000006
(57)【要約】【課題】８の字状の形状をした結束紐を簡単に適切な位置に設置でき、床の上で水平に回転させることができることを特徴とした古新聞・古雑誌等の回収容器を提供する。【解決手段】８の字状の形状をした結束紐を簡単に適切な位置に設置でき、床の上で水平に回転させることができることを特徴とした古新聞や古雑誌等の回収容器。【選択図】図１
2018065613.tif 000002
【特許請求の範囲】
【請求項１】
８の字状の形状をした結束紐を設置でき、床の上を回転できることを特徴とする古新聞や古雑誌等を回収するための回収容器。
【発明の詳細な説明】
【技術分野】
【０００１】本発明は古新聞や古雑誌等を回収するための容器に関するものである。
【背景技術】
【０００２】従来、古新聞や古雑誌等を回収し移動ができるものがあった。
【先行技術文献】
【０００３】
【特許文献】
【特許文献】特開２０１１−０３７５１３号公報
【発明の概要】
【発明が解決しようとする課題】
【０００４】従来の回収容器には次のような問題点があった。
（イ）回収物結束用の「８の字状の形状をした紐」を簡単に適切な位置に設置することができなかった。
（ロ）回収容器を床の上で水平に回転させることが難しかった。
本発明は、これらの問題点を解決するためになされたものである。
【課題を解決するための手段】
【０００５】８の字状の形状したを結束紐を簡単に適切な位置に設置し易く、又本回収容器を床の上で水平に回転させることができることを特徴とする古新聞・古雑誌等の回収容器である。
【発明の効果】
【０００６】（イ）８の字状の形状をした結束紐を簡単に適切な位置に設置することができる。
（ロ）本回収容器を床の上で水平に回転させることができる。
【図面の簡単な説明】
【０００７】
【図１】本発明の斜視図である。（８の字状の形状をした結束紐と集積物も参考に設置した図である）
【発明を実施するための形態】
【０００８】以下、本発明の実施の形態について説明する。
４角形の底面（１）
底面の各４辺の半分の幅を持ち対角状に設置されたＬ字型の側面（２），（３）
底面に設置した自在に動く複数のキャスター（４）
本発明は以上のような構成である。
集積物を段積みする前に、８の字状の形状をした結束紐を設置して使用すると、集積物を簡単に結束することができる。
【符号の説明】
【０００９】１．底面
２．Ｌ字状の側面
３．Ｌ字状の側面
４．キャスター
【図１】
2018065613.tif 000003
(57)【要約】【課題】集積された古新聞や古雑誌等を、簡単な操作で強固に結束するための結束紐及びその使用要領を提供する。【解決手段】集積された古新聞や古雑誌等を、簡単な操作で強固に結束できる８の字状の形状をしたことを特徴とする結束紐。【選択図】図１
2018065614.tif 000002
【特許請求の範囲】
【請求項１】
集積された古新聞や古雑誌等を結束するための８の字状の形状を特徴とする結束紐。
【発明の詳細な説明】
【技術分野】
【０００１】本発明は集積された古新聞や古雑誌等を簡単に強固に結束するための結束紐に関するものである。
【背景技術】
【０００２】従来、集積された古新聞や古雑誌等を結束する際に、一本の紐を使用し、紐を四方に取り回す或いいは集積物を取り回すなどして十の字に結束していた。
【先行技術文献】
【特許文献】
【０００３】特許文献、特になし。
【発明の概要】
【発明が解決しようとする課題】
【０００４】そのため次のような問題点があった。
（イ）結束紐や集積物の取り回しが厄介で煩わしく、特に非力な者には難が大きかった。
（ロ）結束紐や集積物の取り回しの際、集積物が崩れやすく、強固な結束となり難くかった。
本発明は、これらの問題点を解決するためになされたものである。
【課題を解決するための手段】
【０００５】集積された古新聞や古雑誌等を結束するための８の字状の形状をした結束紐である。
以上を特徴とする結束紐である。
【発明の効果】
【０００６】（イ）結束紐や集積物の取り回しが簡単であり、非力な者でも集積物が崩れることなく簡単に強固に結束することができる。
（ロ）結束した紐の両端が輪状となっているので持ち易く結束物を運び易い。
【図面の簡単な説明】
【０００７】
【図１】本発明の斜視図である。
【図２】から
【図１１】本結束紐の使用要領図である。
【発明を実施するための形態】
【０００８】以下、本発明の実施の形態について説明する。
本発明は８の字状の形状をした結束紐であり、本発明を使用する時は、下記の要領で使用する。
（イ）８の字状の結束紐を広げ、８の字状に置く。（図２）
（ロ）その中心部に集積物を段積みする。（図３）
（ハ）８の字状の結束紐の両端を持ち、４本の紐が集積物の４辺にそれぞれ掛るように持ち上げる。（図４）
（二）更に集積物の上部で両端を交差させ、更に回転させて捩じり結束紐を収束させる。（図５），（図６）
（ホ）その後、捩じった結束紐が逆戻りしないように、十字に交差した紐の下に潜らせた後、両端同志をしっかり結ぶ。（図７），（図８），（図９），（図１０）
（ヘ）結束紐を持ち易くなるよう両端の輪を広げる。（図１１）
【符号の説明】
【０００９】１．８の字状の形状をした結束紐
【図１】
2018065614.tif 000003
【図２】
2018065614.tif 000004
【図３】
2018065614.tif 000005
【図４】
2018065614.tif 000006
【図５】
2018065614.tif 000007
【図６】
2018065614.tif 000008
【図７】
2018065614.tif 000009
【図８】
2018065614.tif 000010
【図９】
2018065614.tif 000011
【図１０】
2018065614.tif 000012
【図１１】
2018065614.tif 000013
(57)【要約】      （修正有）【課題】薄いプラスチック袋（以下プラ袋）の貼りついた開封部分を簡単に開く装置を提供する。【解決手段】２枚の板をスプリング入り蝶番６で繋ぎ合わせ，蝶番７を介してそれぞれの板２、３が向かい合い閉じられるようにし，通常６０〜１３５度位開いてあり，又夫々の板が向かい合っている面には軟粘着パッド８を取り付けてあり，２枚の板の開いた部分にプラ袋の開封部をセットし両の板を閉じると軟粘着パッド８がプラ袋のフイルムの両面に密着する．その後，両の板を開くと開封状態のプラ袋を得ることが出来る．【選択図】図１
2018065615.tif 000002
【特許請求の範囲】
【請求項１】
蝶番を介して繋ぎ合わされた２枚の夫々の板の相対する面にウレタン系エラストマ−ゲル等の軟粘着パッドを取付け，相対する板の間に薄プラスチック袋を挟み込めるようにする．
【請求項２】
相対する一方の板を押さえ板とし，その押さえ板の粘着パッドから自動的に薄いプラスチック袋の片方のフイルムを剥離する装置を有する薄プラスチック袋オ−プナ−．
【発明の詳細な説明】
【技術分野】
【０００１】  本発明は薄プラスチック袋の開封部を簡単に開く装置に関するものである．
【背景技術】
【０００２】  薄いプラスチックの袋は静電気等の原因で往々にして，開封部が密着している場合がある．通常指に湿り気がある場合は相対するフイルムをずらすことにより，簡単に開封することが可能である．しかし大気が乾燥している場合，手袋をしている場合等はなかなか開封することが困難な場合がある．【０００３】  大がかりな装置では吸引装置を使用することもあるが，より簡単に開封するには水分を含んだタオル又は水分を含んだスポンジ等を用意し，指先に湿り気を与えて目的を達する方法がとられているのが普通である．
【発明の概要】
【発明が解決しようとする課題】
【０００４】  本発明は，以上のような不便さに鑑み，薄いプラスチック袋（以下プラ袋）の貼りついた開封部分を簡単に開く装置を提供することを目的としている．
【課題を解決するための手段】
【０００５】  本発明は，２枚の板をスプリング入り蝶番で繋ぎ合わせ，蝶番を介して夫々の板が向かい合い閉じられる様にし，通常は６０〜１３５度位開いてある，又夫々の板が向かい合っている面には軟粘着パッドを取り付けてあり，２枚の板の開いた部分にプラ袋の開封部分をセットし両の板を閉じると軟粘着パッドがプラ袋のフイルムの両面に密着する．その後，両の板を開くとプラ袋は開封状態で取り出すことが出来る．
【発明の効果】
【０００６】  上述したように本発明の薄プラスチック袋オ−プナ−は水分を含んだタオル，スポンジ等で指先に湿り気を与えなくともプラ袋の開封部の密着している部分を簡単に開封することができる．【０００７】  又水分を含んだタオル，スポンジ等は菌，かび等が繁殖する心配があり，特に食品，化粧品等の包装に使用する場合は衛生上問題があり，プラ袋の開封部分に直接指が触れることなく開封できるため衛生的であり，生産性に於ても有用な物である．
【図面の簡単な説明】
【０００８】
【図１】本発明を実施するための最良の形態の薄プラスチック袋オ−プナ−の斜視図
【図２】同薄プラスチック袋オ−プナ−の右側面図
【発明を実施するための形態】
以下，本発明の実施の形態を図１，図２に基づいて説明する．
【０００９】  図に於て，金属板又はプラスチック板を使用したフレ−ム１の上面の適切な位置にウレタン系エラストマ−ゲルの軟粘着パッド８を２ケ取付ける．スプリング入り蝶番６を介して押さえ板２をフレ−ム１に取り付け，ストッパ−９により通常フレ−ム上面に対し６０〜１３５度位開いた状態にしてある．この押さえ板２にも軟粘着パッド８が取り付けてあり，蝶番取付け部の反対側には押し棒４が取り付けてある．更にこの押さえ板２の両側には剥離板３を蝶番７を介してフレ−ム１に取り付ける．又剥離板３の背面には押さえ板２が開くとほぼ同時に持ち上がるように門型バ−５が取り付けられている．
【００１０】  以下上記構成の動作を説明する．プラ袋の開封部をフレ−ム１にセットし，押さえ板２を手で押し閉じるとフレ−ム１の軟粘着パッド８と押さえ板２の軟粘着パッド８はプラ袋フイルムの両面に圧着する．次に手を離す自動的に押さえ板２と剥離板３はほぼ同時に上方へ跳ね上げられ，フレ−ム１上に開封部が開かれた状態のプラ袋を得ることが出来る．
【００１１】  又軟粘着パッドは，埃等により粘着力が弱まった場合には，水洗いをすれば容易に粘着力は恢伏するため，長期間初期の性能を維持することが可能である．
【産業上の利用可能性】
【００１２】  本発明は，主にロ−ル状になっている薄いポリエチレン袋を引き出してカットし，食品の包装に使用される場面の多いス−パ−，量販店で使用されるが，レジ袋にも有効であり薄手のプラスチック袋を使用する食品工場，化粧品工場，製薬工場，種々な店舗等に於て利用される．【００１３】  本発明は，紙にプラスチックをコ−テイング又はラミネ−トした材料はもとより，紙製の物にも応用できる．
【符号の説明】
【００１４】  １    フレ−ム
２    押さえ板
３    剥離板
４    押し棒
５    門型バ−
６    スプリング入り蝶番
７    蝶番
８    軟粘着パッド
９    ストッパ−
【図１】
2018065615.tif 000003
【図２】
2018065615.tif 000004